(57)【要約】  ユーザが支持具取付部に触れて違和感を覚えることがない撮像装置を提供する。撮像装置は、支持具取付面に設けられ、ネジ穴を有する支持具取付部と、支持具取付部を覆う第１の位置と、支持具取付部を覆わない位置であり、支持具取付面に対し凸とならない第２の位置との間を移動する支持具取付部カバーとを備える。支持具取付部に支持具を取り付ける際に、支持具取付部カバーは前記第１の位置から前記第２の位置へ移動し、支持具取付部から支持具を取り外す際に、支持具取付部カバーは第２の位置から前記第１の位置へ移動する。
2012077251.tif 000002
【特許請求の範囲】
【請求項１】
支持具を取付け可能な撮像装置であって、
前記撮像装置の支持具取付面に設けられ、ネジ穴を有する支持具取付部と、
前記支持具取付部を覆う第１の位置と、前記支持具取付部を覆わない位置であり、前記支持具取付面に対し凸とならない第２の位置との間を移動する支持具取付部カバーとを備える、撮像装置。
【請求項２】
前記支持具取付部に前記支持具を取り付けた際に、前記支持具取付部カバーは前記第１の位置から前記第２の位置へ移動し、
前記支持具取付部から前記支持具を取り外した際に、前記支持具取付部カバーは前記第２の位置から前記第１の位置へ移動する、請求項１に記載の撮像装置。
【請求項３】
前記支持具取付部は、前記ネジ穴の入口の周辺に形成された露出面を有し、
前記支持具取付部に前記支持具が取り付けられた際に、前記露出面と前記支持具とが当接する、請求項１に記載の撮像装置。
【請求項４】
前記支持具取付面は、前記撮像装置の外装底面部に設けられる、請求項１に記載の撮像装置。
【請求項５】
前記支持具取付部カバーに設けられたカム溝ピンと、前記支持具取付面に設けられたカム溝とにより、前記支持具取付部カバーは、前記第１の位置と前記第２の位置との間を移動する、請求項１に記載の撮像装置。
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置は、レンズユニットを通った光をＣＣＤイメージセンサーまたはプリズムのいずれかに導く。プリズムに導かれた光はプリズムによってファインダーに導かれる。【０００３】
上記のような撮像装置には、三脚や一脚などの支持具を取り付けるための支持具取付部が設けられる場合がある。例えば、底面に支持具取付部が固定された交換レンズ式のデジタルカメラが知られている。デジタルカメラを支持する三脚を支持具取付部に取り付けることにより、デジタルカメラの姿勢を安定させて撮影を行うことができる。
【先行技術文献】
【特許文献】
【０００４】
【特許文献１】特開２００７−１２７８３６号公報
【発明の概要】
【発明が解決しようとする課題】
【０００５】
従来から撮像装置の小型化が求められており、例えば交換レンズ式のデジタルカメラにおいては、カメラ本体の小型化が求められている。しかし、カメラ本体を小型化することにより、部品が密集して配置されるので、撮像素子やカメラコントローラーの実装された基板などの熱を発生する電子部品と支持具取付部との間の距離は、従来のカメラ本体に比べて小さくなっている。【０００６】
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇する恐れがある。このため、ユーザーが支持具取付部に触れて周辺の温度と支持具取付部の温度との温度差を感知した場合、ユーザーが違和感を覚える可能性がある。一方で、支持具により撮像装置を安定して支えるためには、支点としての支持具取付部の近くに支持具を配置することが望ましい。つまり、支持具の取り付けに適した位置に支持具取付部が配置されていることが望ましい。【０００７】
それ故に、本発明の目的は、従来の課題を解決するものであり、支持具の取り付けに適した位置に支持具取付部を配置すると共に、ユーザが支持具取付部に触れて違和感を覚えることがない撮像装置を提供することである。
【課題を解決するための手段】
【０００８】
本発明は、支持具を取付け可能な撮像装置に向けられている。そして、上記目的を達成するために、本発明の撮像装置は、支持具を取り付け可能とする支持具取付部と、支持具取付部カバーとを備える。支持具取付部は、撮像装置の支持具取付面に設けられ、ネジ穴を有する。支持具取付部カバーは、支持具取付部を覆う第１の位置と、支持具取付部を覆わない位置であり、支持具取付面に対し凸とならない第２の位置との間を移動する。
支持具取付部に支持具を取り付けた際に、支持具取付部カバーは第１の位置から第２の位置へ移動し、支持具取付部から支持具を取り外した際に、支持具取付部カバーは第２の位置から第１の位置へ移動する。
支持具取付部は、ネジ穴の入口の周辺に形成された露出面を有し、支持具取付部に支持具が取り付けられた際に、露出面と支持具とが当接する。支持具取付面は、撮像装置の外装底面部に設けられる。支持具取付部カバーに設けられたカム溝ピンと、支持具取付面に設けられたカム溝とにより、支持具取付部カバーは、第１の位置と第２の位置との間を移動する。
【発明の効果】
【０００９】
以上のように本発明に係る撮像装置によれば、支持具が支持具取付部に取り付けられていない場合には、支持具取付部が支持具取付部カバーに覆われ、ユーザが支持具取付部に触れることができない。このため、支持具の取り付けに適した位置に支持具取付部を配置すると共に、ユーザーが支持具取付部に触れて違和感を覚えることがない。また、支持具を支持具取付部に取り付けて使用する場合、支持具取付面に対し凸とならない位置へ支持具取付部カバーが移動することで、支持具取付面に大きな面積を確保することができるため安定した支持具の装着が可能となる。
【図面の簡単な説明】
【００１０】
【図１】図１は、デジタルカメラ１の斜視図である。
【図２】図２は、カメラ本体１００の斜視図である。
【図３】図３は、デジタルカメラ１のブロック図である。
【図４】図４は、デジタルカメラ１の概略断面図である。
【図５】図５は、カメラ本体１００の背面図である。
【図６Ａ】図６Ａは、一眼レフレックスカメラ８００の概略断面図である。
【図６Ｂ】図６Ｂは、デジタルカメラ１の概略断面図である。
【図７】図７は、カメラ本体１００を支持具９０に装着した状態を示す図である。
【図８】図８は、支持具装着時のカメラ本体１００の斜視図である。
【図９】図９は、支持具未装着時のカメラ本体１００の斜視図である。
【発明を実施するための形態】
【００１１】
＜１−１：デジタルカメラの概要＞
図１は、本発明の一実施形態に係るカメラ本体１００を有するデジタルカメラ１（撮像装置の一例）の斜視図である。図２は、カメラ本体１００の斜視図である。図３は、デジタルカメラ１の機能ブロック図である。
ここで、撮像装置は、単体での撮影が可能な撮像装置だけでなく、カメラ本体を含む概念である。例えば、撮像装置にはレンズユニットを装着可能な交換レンズ式カメラのカメラ本体が含まれる。また、支持具とは、撮影時に撮像装置の姿勢を安定させるために撮像装置に取り付けられる固定用の用具である。支持具としては、例えば、三脚や一脚が考えられる。
デジタルカメラ１は、被写体の画像を取得するための交換レンズ式のデジタルカメラであり、カメラ本体１００と、カメラ本体１００に装着可能なレンズユニット２００と、を備えている。一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１２】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側という。ここで横撮り姿勢とは、横長の長方形である画像の長辺に平行な方向が画像内での被写体の水平方向と一致し、かつ画像の短辺に平行な方向が画像内での被写体の鉛直方向と一致する場合に、レリーズ釦１３１（図１）が撮影時に押される方向が鉛直下向きと概ね一致する姿勢をいう。
【００１３】
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。さらに、デジタルカメラ１の横撮り姿勢での鉛直方向を上下方向もしくは縦方向という。同様に、デジタルカメラ１の横撮り姿勢での左右の方向を左右方向もしくは横方向という。また、上下方向および左右方向に垂直な方向は前後方向と一致しており、被写体を向く方向を前方向といい、前方向と逆向きを後ろ方向という。
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
【００１４】
＜１−２：カメラ本体の構成＞
図４は、デジタルカメラ１の概略断面図である。図５は、カメラ本体１００の背面図である。カメラ本体１００（撮像装置の一例）は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６５と、カードスロット１７０と、電子ビューファインダー（以下、ＥＶＦとも言う）１８０と、シャッターユニット１９０と、光学的ローパスフィルタ１１４と、振動板１１５と、メインフレーム１５４と、支持具取付部１５７と、放熱部材１９８と、外装部１０１とを備えている。
【００１５】
《外装部》
外装部１０１は、カメラ本体１００の外面を形成する部材であり、外装底面部１０１ａと、外装前面部１０１ｂと、外装背面部１０１ｃと、を含んでいる。外装底面部１０１ａは横撮り姿勢においてＣＭＯＳイメージセンサー１１０の下側に配置され、外装前面部１０１ｂは被写体側に配置され、外装背面部１０１ｃは撮影者側に配置される。
カメラ本体１００には、前から順に、ボディマウント１５０と、シャッターユニット１９０と、振動板１１５と、光学的ローパスフィルタ１１４と、ＣＭＯＳイメージセンサー１１０と、ＣＭＯＳ回路基板１１３と、放熱板１９５と、メイン回路基板１４２と、カメラモニタ１２０とが配置されている。また、メインフレーム１５４の一部は、ボディマウント１５０と光軸ＡＸに平行な方向（以下、光軸方向ともいう）に重複した位置に配置されている。
【００１６】
《ＣＭＯＳイメージセンサー》
ＣＭＯＳイメージセンサー１１０は、レンズユニット２００を介して入射される被写体の光学像（以下、被写体象ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なお、ＣＭＯＳ回路基板１１３の機能は、ＣＭＯＳイメージセンサー１１０、もしくはメイン回路基板１４２に含まれていてもよい。
【００１７】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う。取得された動画データは、スルー画像の表示にも用いられる。なお、静止画データおよび動画データは、画像データの一例である。ここで、スルー画像とは、動画データのうちメモリーカード１７１にデータを記録されない画像である。スルー画像は、主に動画像であり、動画像または静止画像の構図を決めるためにカメラモニタ１２０および／または電子ビューファインダー１８０に表示される。
【００１８】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００１９】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２０】
《カメラモニタ》
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
カメラモニタ１２０は、カメラ本体１００に設けられている。本実施形態では、カメラ本体１００の背面に配置されているが、カメラモニタ１２０はカメラ本体１００のどこに配置されていてもよい。カメラ本体１００に対するカメラモニタ１２０の表示面の角度は、変更可能である。具体的には図５に示すように、カメラ本体１００は、カメラモニタ１２０を外装部１０１に対して回転可能に連結するヒンジ１２１を有している。ヒンジ１２１は、外装部１０１の左端に配置されている。より詳細には、ヒンジ１２１は、第１のヒンジと第２のヒンジとを有している。カメラモニタ１２０は、第１のヒンジを中心に外装部１０１に対して左右方向に回転可能であり、第２のヒンジを中心に外装部１０１に対して上下方向にも回転可能である。
なお、カメラモニタ１２０は、カメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けられてもよい。
【００２１】
《電子ビューファインダー》
電子ビューファインダー（ＥＶＦ）１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００２２】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対して、カメラモニタ１２０は接眼窓１８３を有しない点である。
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタには、有機ＥＬ、無機ＥＬ、プラズマディスプレイパネル等、画像を表示できるものを用いることができる。有機ＥＬのような自発光デバイスの場合は、照明光源は必要ない。
【００２３】
《操作部》
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００２４】
《カメラコントローラー》
カメラコントローラー１４０は、カメラ本体１００の中枢を司るデバイスであって、カメラ本体１００の各部を制御する。例えば、カメラコントローラー１４０は、電源１６５からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０は、ボディ制御部（もしくはボディマイコン）の一例である。カメラコントローラー１４０は、メイン回路基板１４２上に配置されている。
【００２５】
《カードスロットおよびメモリーカード》
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に静止画データを格納する。カードスロット１７０は、メモリーカード１７１から静止画データを出力する。また、カードスロット１７０は、メモリーカード１７１に動画データを格納する。カードスロット１７０は、メモリーカード１７１から動画データを出力する。
【００２６】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイルを格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００２７】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
なお、メモリーカード１７１は記憶部の一例である。記憶部は、メモリーカード１７１のようにカメラ本体１００に装着可能なものでもよく、デジタルカメラ１に固定されているものでもよい。
【００２８】
《電源》
電源１６５は、デジタルカメラ１で使用するための電力を各部に供給する。電源１６５は、例えば、乾電池であってもよいし、充電池であってもよい。また、電源１６５は、電源コード等を介して外部から電力の供給を受け、デジタルカメラ１に電力を供給するユニットであってもよい。
【００２９】
《ボディマウント》
ボディマウント１５０は、レンズユニット２００を装着可能であり、ボディマウントリング１５１と、電気接点１５３と、を含んでいる。ボディマウント１５０は、レンズユニット２００のレンズマウント２５０と機械的及び電気的に接続可能である。
ボディマウントリング１５１は、外装部１０１の外装前面部１０１ｂに設けられたリング状の部材であり、レンズユニット２００に設けられたレンズマウントリング２５１と嵌合することにより、レンズユニット２００を機械的に支持する。レンズマウントリング２５１は、いわゆるバヨネット機構によりボディマウントリング１５１に嵌め込まれる。具体的には、レンズマウントリング２５１は、ボディマウントリング１５１との光軸まわりの回転位置関係に応じて、ボディマウントリング１５１と嵌合していない第１の状態と、ボディマウントリング１５１と嵌合している第２状態とをとり得る。
【００３０】
より詳細には、レンズマウントリング２５１は、ボディマウントリング１５１に対して光軸方向に移動可能な第１の状態をとり得る。このような第１の状態では、レンズマウントリング２５１はボディマウントリング１５１に挿入可能である。レンズマウントリング２５１をボディマウントリング１５１に挿入された状態でボディマウントリング１５１に対して回転させると、レンズマウントリング２５１はボディマウントリング１５１に嵌合する。このときのボディマウントリング１５１とレンズマウントリング２５１との回転位置関係が第２の状態である。
レンズマウントリング２５１を支持するために、ボディマウントリング１５１には強度が要求されるので、ボディマウントリング１５１は金属で形成されているのが好ましい。本実施形態では、ボディマウントリング１５１は、金属で形成されている。
【００３１】
レンズユニット２００がカメラ本体１００に装着されている状態で、電気接点１５３は、レンズマウント２５０が有する電気接点２５３と接触している。このように、ボディマウント１５０とレンズマウント２５０とは、ボディマウント１５０の電気接点１５３とレンズマウント２５０の電気接点２５３とを介して、電気的に接続可能である。したがって、デジタルカメラ１は、ボディマウント１５０とレンズマウント２５０とを介して、カメラ本体１００とレンズユニット２００との間で、データおよび制御信号のうち少なくとも一方を送受信できる。具体的には、ボディマウント１５０とレンズマウント２５０とは、カメラコントローラー１４０と、レンズユニット２００に含まれるレンズコントローラー２４０との間で、データおよび制御信号のうち少なくとも一方を送受信できる。また、ボディマウント１５０は、電源１６５から受けた電力を、レンズマウント２５０を介してレンズユニット２００全体に供給する。
ボディマウント１５０は、ボディマウント支持部１５２を介してメインフレーム１５４に支持されている。より詳細には、ボディマウント支持部１５２は、ボディマウントリング１５１と接続されており、ボディマウントリング１５１を支持している。
ボディマウント支持部１５２は、メインフレーム１５４により支持され、ボディマウントリング１５１とシャッターユニット１９０との間に配置されている。
【００３２】
《シャッターユニット》
シャッターユニット１９０は、いわゆるフォーカルプレーンシャッターであり、ＣＭＯＳイメージセンサー１１０への光を遮蔽可能である。シャッターユニット１９０は、ボディマウント１５０とＣＭＯＳイメージセンサー１１０との間に配置される。シャッターユニット１９０は、後幕と、先幕と、シャッター支持枠と、を有する。シャッター支持枠には、被写体からＣＭＯＳイメージセンサー１１０へ導かれる光の通る開口が設けられている。シャッターユニット１９０は、後幕および先幕をシャッター支持枠の開口に進退させることにより、ＣＭＯＳイメージセンサー１１０の露光時間を調節する。シャッターユニット１９０は、機械的に開口状態を保持できる。機械的に保持するとは、電気の力を使わずに開口状態を保持するという概念であり、例えば、物と物との係合や永久磁石による保持を含む。
【００３３】
《光学的ローパスフィルタおよび振動板》
光学的ローパスフィルタ１１４は、被写体から入射した光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。なお、光学的ローパスフィルタ１１４には、赤外光をカットするためのＩｒカットフィルタ機能も併せ持たせている。
振動板１１５は、ＣＭＯＳイメージセンサー１１０よりも前に配置され、振動板支持部１１６により支持されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、圧電素子と、圧電素子を介して板状部材を固定する固定部材と、を含んでいる。そして、交流電圧が印加されて圧電素子が振動すると、板状部材が振動する。振動板支持部１１６は、振動板１１５をＣＭＯＳイメージセンサー１１０に対して所定の位置に配置されるように支持している。振動板支持部１１６は、ボディマウント１５０およびシャッターユニット１９０を介してメインフレーム１５４に支持されている。
【００３４】
《放熱部材》
放熱部材１９８は、放熱板１９５と、熱伝導部１９６と、を有している。放熱板１９５は、ＣＭＯＳイメージセンサー１１０とメイン回路基板１４２との間に配置されている。具体的には、放熱板１９５は、ＣＭＯＳ回路基板１１３とメイン回路基板１４２との間に配置されている。放熱板１９５は、ＣＭＯＳイメージセンサー１１０により発生した熱を放熱するための長方形の板状部材である。放熱板１９５の材質として例えばアルミや銅等の金属を用いれば、好ましい放熱効果を得ることができる。
放熱板１９５には、振動板支持部１１６に熱を伝えるために熱伝導部１９６が接続されている。熱伝導部１９６は、振動板支持部１１６に接続され固定されている。ＣＭＯＳイメージセンサー１１０から発生した熱は、放熱板１９５および熱伝導部１９６を介して振動板支持部１１６に伝達される。このような熱の伝達を可能とするために、ＣＭＯＳイメージセンサー１１０の背面には放熱板１９５が配置され、放熱板１９５から振動板支持部１１６まで熱伝導部１９６が延びている。
【００３５】
より詳細には、熱伝導部１９６は、４枚のプレートを有しており、放熱板１９５の上下の端および左右の端からプレートが前方へ延びている。言い換えれば、熱伝導部１９６はＣＭＯＳイメージセンサー１１０の上下左右を囲うようにして配置されている。このように、ＣＭＯＳイメージセンサー１１０は、放熱板１９５および熱伝導部１９６により、上側、両側方、下側および後ろ側を囲い込まれている。
なお、熱伝導部１９６は、必ずしも振動板支持部１１６に接続されていなくてもよく、メインフレーム１５４とＣＭＯＳイメージセンサー１１０との間に配置されるいずれかの部品と接続されていればよい。例として、熱伝導部１９６は、ボディマウント支持部１５２やシャッターユニット１９０と接続されることが考えられる。
なお、熱伝導部１９６は、必ずしも４箇所で振動板支持部１１６と接続している必要はない。例えば、４枚のプレートのうち少なくとも１枚が放熱板１９５を振動板支持部１１６に接続していればよい。しかしながら、放熱板１９５の安定性を考慮すると、３箇所以上で接続されることが望ましい。
【００３６】
＜１−３：レンズユニットの構成＞
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
レンズマウント２５０は、レンズマウントリング２５１（図示せず）および電気接点２５３（図示せず）を有しており、前述のようにボディマウント１５０と機械的および電気的に接続できる。
【００３７】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号を駆動部２１５に伝える。駆動部２１５は、制御信号に基づいてズームレンズ群２１０、ＯＩＳレンズ群２２０、及びフォーカスレンズ群２３０の位置を調節する。
一方で、カメラコントローラー１４０は、ＣＭＯＳイメージセンサー１１０が受けた光の量、静止画撮影を行うのか動画撮影を行うのか、絞り値が優先的に設定される操作がされているか等の情報に基づいて、絞りユニット２６０を動作させるための制御信号を生成する。このとき、レンズコントローラー２４０は、カメラコントローラー１４０で生成された制御信号を絞りユニット２６０へ中継する。
また、レンズコントローラー２４０は、光学系Ｌの各レンズ群および絞りユニット２６０の駆動を行う場合、ＤＲＡＭ２４１をワークメモリとして使用する。また、フラッシュメモリ２４２は、レンズコントローラー２４０によって使用されるプログラムやパラメータを保存している。
【００３８】
レンズ筒２９０は、主に光学系Ｌと、レンズコントローラー２４０と、レンズマウント２５０と、絞りユニット２６０と、を内部に収容している。また、レンズ筒２９０の外部には、ズームリング２１３と、フォーカスリング２３４と、ＯＩＳスイッチ２２４と、が設けられている。
ズームリング２１３は、筒状の部材であり、レンズ筒２９０の外周面で回転可能である。ズームリング２１３は、焦点距離を操作するための操作部の一例である。ズームリング２１３を回転させると、回転後のズームリング２１３の位置に応じて、光学系Ｌの焦点距離が決定される。ズームリング２１３の位置は、例えば、駆動部２１５に含まれる検出部によって検出される。
【００３９】
フォーカスリング２３４は、筒状の部材であり、レンズ筒２９０の外周面で回転可能である。フォーカスリング２３４は、光学系ＬがＣＭＯＳイメージセンサー１１０上に形成する被写体像のフォーカス状態を操作するための操作部の一例である。フォーカスリング２３４を回転させると、回転後のフォーカスリング２３４の位置に応じて、被写体像のフォーカス状態が調節される。例えば、レンズコントローラー２４０は、フォーカスリング２３４の位置情報に基づいて制御信号を生成し、駆動部２１５に出力する。駆動部２１５は、制御信号に基づいてフォーカスレンズ群２３０を駆動する。
ＯＩＳスイッチ２２４は、ＯＩＳを操作するための操作部の一例である。ＯＩＳスイッチ２２４をＯＦＦにするとＯＩＳは動作しない。ＯＩＳスイッチ２２４をＯＮにするとＯＩＳは動作可能となる。
【００４０】
＜１−４：構造の特徴＞
カメラ本体１００は、ミラーボックス装置を有しておらず、この点が一眼レフレックスカメラと異なっている。以下、図６Ａおよび図６Ｂを用いてカメラ本体１００の構造上の特徴をさらに詳細に説明する。
図６Ａは一眼レフレックスカメラ８００の概略断面図である。図６Ｂは、本実施形態のデジタルカメラ１の概略断面図である。なお、図６Ｂでは、ボディマウント１５０、シャッターユニット１９０、振動板１１５、振動板支持部１１６、放熱板１９５、熱伝導部１９６などの部材は省略されている。また、図６Ｂでは、支持具取付部１５７周辺の構造に関しても、詳細が省略されている。
【００４１】
図６Ａに示す一眼レフレックスカメラ８００では、ＣＭＯＳイメージセンサー８１０の前面に、つまり、ＣＭＯＳイメージセンサー８１０のレンズユニット８０２側にミラーボックス装置が配置されている。ミラーボックス装置は、反射ミラー８０３とペンタプリズム８０４とを含んでいる。そして、ＣＭＯＳイメージセンサー８１０の背面に（つまり、ＣＭＯＳイメージセンサー８１０に対してレンズユニット８０２とは反対側に）、前からＣＭＯＳ回路基板８１３と、カメラコントローラー８４０を含むメイン回路基板８４２と、が順に配置されている。また、カメラ本体８０１の強度を確保するために金属製のメインフレーム８５４がカメラ本体８０１の内部の前面から底面に沿って配置されている。さらに、カメラ本体８０１の底面には支持具取付部８５７が設けられており、支持具取付部８５７はメインフレーム８５４に固定されている。
【００４２】
一眼レフレックスカメラ８００では、ミラーボックス装置に含まれる反射ミラー８０３およびペンタプリズム８０４によって、レンズユニット８０２により形成された被写体の光学像は、ＣＭＯＳイメージセンサー８１０または光学ファインダー８０５に導かれる。このように、カメラ本体８０１の内部に、可動式の反射ミラー８０３とペンタプリズム８０４とを配置するスペース、および、反射ミラー８０３から光学ファインダー８０５までの光路のスペース、を確保する必要があるため、カメラ本体８０１は小型化に適していない。その反面、カメラ本体８０１の内部にスペースが多いこと、カメラ本体８０１の表面積が大きいこと等の理由により、一眼レフレックスカメラ８００では、ＣＭＯＳイメージセンサー８１０からの発生した熱を放熱しやすい。また、支持具取付部８５７をＣＭＯＳイメージセンサー８１０から離れた位置に配置できるので、ＣＭＯＳイメージセンサー８１０から発生した熱が支持具取付部８５７に比較的伝わりにくい。
【００４３】
これに対し、図６Ｂに示すように、本実施形態に係るデジタルカメラ１では、ＣＭＯＳイメージセンサー１１０の前側にミラーボックス装置が配置されないため、フランジバックを短くすることが可能となり、カメラ本体１００を小型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
その一方で、一眼レフレックスカメラ８００のようにミラーボックス装置が設けられているスペースが不要となるため、カメラ本体１００の小型化を図れるが、デジタルカメラ１では部品が密集して配置されるので、ＣＭＯＳイメージセンサー１１０と支持具取付部１５７との距離は、一眼レフレックスカメラ８００と比較して小さくなっている。さらに、高画質化や動画撮影対応によりＣＭＯＳイメージセンサー１１０やカメラコントローラー１４０の消費電力が大きくなってしまい、ＣＭＯＳイメージセンサー１１０やカメラコントローラー１４０の発熱量が大きくなっている。
例えば、デジタルカメラ１では、高解像度の動画像の撮影にも対応したＣＭＯＳイメージセンサー１１０が採用されているため、高解像度の動画像の撮影に対応していないＣＭＯＳイメージセンサー（例えば、一眼レフレックスカメラ８００のＣＭＯＳイメージセンサー８１０）と比較して消費電力がおよそ３倍（０．４Ｗから１．２Ｗ）に増加している。その結果、ＣＭＯＳイメージセンサー１１０の発熱量は、高解像度の動画像の撮影に対応していないＣＭＯＳイメージセンサーの発熱量に比べて大きくなっている。
【００４４】
以上のように、デジタルカメラ１では一眼レフレックスカメラ８００と比較してＣＭＯＳイメージセンサー１１０やカメラコントローラー１４０等の電子部品の発熱量が増大しており、さらに、小型化に伴って支持具取付部１５７がＣＭＯＳイメージセンサー１１０の近くに配置されている。このため、ＣＭＯＳイメージセンサー１１０で発生した熱が支持具取付部１５７に伝わりやすくなる。そうすると、支持具取付部１５７に触れて周辺の温度と支持具取付部１５７の温度との温度差を感知したユーザーが、違和感を感じる可能性がある。
【００４５】
《支持具取付部》
図４、図８および図９に示すように支持具取付部１５７が外装底面部１０１ａに設けられている。支持具取付部１５７には、ネジ部１５７ａが設けられており、必要に応じて三脚や一脚等の支持具９０が取付可能である。図７は、カメラ本体１００を支持具９０に装着した状態を示す図である。ここで、支持具９０とは、撮影時に撮像装置の姿勢を安定させるために撮像装置に取り付けられる固定用の用具である。支持具９０としては、例えば、三脚や一脚等が考えられる。
また、外装底面部１０１ａにおいて、支持具取付部１５７が設けられた面を、支持具取付面と記す。また、ネジ部１５７ａには、支持具９０の先端が嵌め込み可能なネジ穴が設けられている。支持具取付部１５７のネジ穴の入口の周辺には、露出面が形成される。支持具９０が支持具取付部１５７に取り付けられた際には、露出面と支持具９０とが当接し、露出面が支持具９０によって隠される。このため、支持具９０が支持具取付部１５７に取り付けられた際には、ユーザが支持具取付部１５７に直接触れることを防止し、ユーザーが支持具取付部１５７に触れて支持具取付部１５７の温度と周辺の温度との温度差を感じることをなくすことができる。
【００４６】
メインフレーム１５４は、カメラ本体１００の外装部１０１の内部に配置される。メインフレーム１５４は、カメラ本体１００の内部において、外装前面部１０１ｂおよび外装底面部１０１ａに沿って配置されている。メインフレーム１５４は、ボディマウント支持部１５２に接続されている。つまり、メインフレーム１５４は、ボディマウント１５０およびボディマウント支持部１５２を介してレンズユニット２００を支持している。そのため、メインフレーム１５４にはある程度の強度が必要である。したがって、メインフレーム１５４は、金属で形成されているのが好ましい。メインフレーム１５４の材質として、例えばアルミやステンレス合金が考えられる。また、支持具取付部１５７は、カメラ本体１００の内部でメインフレーム１５４に連結されており、撮像素子やカメラコントローラー等の電子部品での発熱は、メインフレーム１５４、支持具取付部１５７に伝わる。結果、支持具取付部１５７の温度が上昇する。
【００４７】
支持具取付部カバー１６０は、支持具取付部１５７を覆う位置（第１の位置）と、支持具取付部１５７を覆わずに、外装底面部１０１ａに対し凸とならないに位置（第２の位置）に移動する。具体的には、支持具取付部カバー１６０は、支持具取付部カバー１６０に設けられたカム溝ピン１６１と、外装部１０１に設けられたカム溝１６２とにより、第１の位置と第２の位置との間を移動する。三脚等の支持具９０の装着が必要な場合、第２の位置に支持具取付部カバー１６０を移動する（図８参照）。外装底面部１０１ａに対し凸とならない位置に支持具取付部カバー１６０が移動することで、支持具取付面に大きな面積を確保することができるため安定した三脚や一脚等の支持具９０の装着が可能である。また、三脚等の支持具９０の装着が必要ない場合には、第１の位置に支持具取付部カバー１６０を移動する（図９参照）。このため、支持具取付部カバー１６０が支持具取付部１５７を覆い、ユーザーが支持具取付部１５７に触れ違和感を覚えることはない。支持具取付部カバー１６０は、三脚カバーや一脚カバーと記すこともできる。
【００４８】
なお、図４に示すように、支持具取付部１５７はＣＭＯＳイメージセンサー１１０の下側に配置されており、支持具取付部１５７はＺ軸方向に沿ってＣＭＯＳイメージセンサー１１０と並んでいる。このように支持具取付部１５７を配置すれば、ＣＭＯＳイメージセンサー１１０の周辺に重量の比較的大きい部品（例えば、レンズユニット２００）が配置されている場合であっても、支持具取付部１５７を中心とした重量分布に偏りが生じにくくなる。その結果、支持具３００に取り付けられたときにデジタルカメラ１が安定しやすくなる。
【００４９】
＜１−５：効果＞
ここで、本実施形態に係るカメラ本体１００の効果についてまとめる。
（１）
このカメラ本体１００では、支持具９０が支持具取付部１５７に取り付けられていない場合に支持具取付部カバー１６０が支持具取付部１５７を覆うことが出来るため、ユーザーが支持具取付部１５７に触れて支持具取付部１５７の温度と周辺の温度との温度差を感じることをなくすことができる。すなわち、ユーザーが支持具９０を使用しない場合に、支持具取付部１５７へ触れることを防ぐ構造を提供することができる。
（２）
このカメラ本体１００では、支持具９０が支持具取付部１５７に取り付けられていない場合に支持具取付部カバー１６０が支持具取付部１５７を覆うことが出来るため、支持具取付部１５７の外的要因による損傷を防止することができる。
（３）
このカメラ本体１００では、支持具９０を支持具取付部１５７に取り付けて使用する場合、支持具取付面に対し凸とならない位置へ支持具取付部カバー１６０が移動することで、支持具取付面に大きな面積を確保することができるため安定した三脚、一脚等の支持具９０の装着が可能である。
【００５０】
（他の実施形態）
本発明の実施形態は、前述の実施形態に限定されず、本発明の趣旨を逸脱しない範囲で種々の変形および修正が可能である。前述の実施形態では、交換レンズ式のデジタルカメラを例にして説明したが、ここに示された技術を適用できる撮像装置はこれに限られない。ここに開示された技術は支持具取付部を有する撮像装置に適用可能であり、例えば、交換レンズ式のデジタルビデオカメラや、レンズ鏡筒一体型のデジタルカメラならびにビデオカメラに適用可能である。
【産業上の利用可能性】
【００５１】
ここに示された技術は、支持具を使用しない場合にユーザーが支持具取付部に触れることを防ぐ構造等を提供し、支持具を装着可能な撮像装置等に適用できる。具体的には、ここに開示された技術は、デジタルスチルカメラやデジタルビデオカメラ等に適用可能である。
【符号の説明】
【００５２】
１      デジタルカメラ（撮像装置の一例）
９０    支持具（三脚）
１００    カメラ本体（撮像装置の一例）
１０１    外装部
１０１ａ  外装底面部
１０１ｂ  外装前面部
１０１ｃ  外装背面部
１１０    ＣＭＯＳイメージセンサー
１１１    ＡＤコンバーター
１１２    タイミング発生器
１１３    ＣＭＯＳ回路基板
１１４    光学的ローパスフィルタ
１１５    振動板
１１６    振動板支持部
１２０    カメラモニタ
１２１    ヒンジ
１３０    操作部
１３１    レリーズ釦
１３２    電源スイッチ
１４０    カメラコントローラー
１４１    ＤＲＡＭ
１４２    メイン回路基板
１５０    ボディマウント
１５１    ボディマウントリング
１５２    ボディマウント支持部
１５３    電気接点
１５４    メインフレーム
１５７    支持具取付部
１５７ａ  ネジ部
１６０    支持具取付部カバー（三脚カバー）
１６０ａ  支持具取付部カバー外面
１６１    カム溝ピン
１６２    カム溝
１６５    電源
１７０    カードスロット
１７１    メモリーカード
１８０    電子ビューファインダー（ＥＶＦ）
１８１    ＥＶＦ用液晶モニタ
１８２    ＥＶＦ用光学系
１８３    接眼窓
１９０    シャッターユニット
１９５    放熱板
１９６    熱伝導部
２００    レンズユニット
２１０    ズームレンズ
２１１    駆動機構
２１３    ズームリング
２２０    ＯＩＳレンズ
２２４    ＯＩＳスイッチ
２３０    フォーカスレンズ
２３４    フォーカスリング
２４０    レンズコントローラー
２４１    ＤＲＡＭ
２４２    フラッシュメモリ
２５０    レンズマウント
２５１    レンジマウントリング
２５３    電気接点（本体側）
２６０    絞りユニット
２９０    レンズ筒
８００    一眼レフレックスカメラ
８０１    カメラ本体
８０２    レンズユニット
８０３    反射ミラー
８０４    ペンタプリズム
８０５    光学ファインダー
８１０    ＣＭＯＳイメージセンサー
８１３    ＣＭＯＳ回路基板
８４２    メイン回路基板
８５４    メインフレーム
８５７    支持具取付部
【図１】
2012077251.tif 000003
【図２】
2012077251.tif 000004
【図３】
2012077251.tif 000005
【図４】
2012077251.tif 000006
【図５】
2012077251.tif 000007
【図６Ａ】
2012077251.tif 000008
【図６Ｂ】
2012077251.tif 000009
【図７】
2012077251.tif 000010
【図８】
2012077251.tif 000011
【図９】
2012077251.tif 000012
【手続補正書】
【提出日】平成24年2月27日(2012.2.27)
【手続補正１】
【補正対象書類名】明細書
【補正対象項目名】全文
【補正方法】変更
【補正の内容】
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置は、レンズユニットを通った光をＣＣＤイメージセンサーまたはプリズムのいずれかに導く。プリズムに導かれた光はプリズムによってファインダーに導かれる。
【０００３】
上記のような撮像装置には、三脚や一脚などの支持具を取り付けるための支持具取付部が設けられる場合がある。例えば、底面に支持具取付部が設けられた交換レンズ式のデジタルカメラが知られている。デジタルカメラを支持する三脚を支持具取付部に取り付けることにより、デジタルカメラの姿勢を安定させて撮影を行うことができる。
【先行技術文献】
【特許文献】
【０００４】
【特許文献１】特開２００７−１２７８３６号公報
【発明の概要】
【発明が解決しようとする課題】
【０００５】
従来から撮像装置の小型化が求められており、例えば交換レンズ式のデジタルカメラにおいては、カメラ本体の小型化が求められている。しかし、カメラ本体を小型化することにより、部品が密集して配置されるので、撮像素子やカメラコントローラーの実装された基板などの熱を発生する電子部品と支持具取付部との間の距離は、従来のカメラ本体に比べて小さくなっている。
【０００６】
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇する恐れがある。このため、ユーザーが支持具取付部に触れて周辺の温度と支持具取付部の温度との温度差を感知した場合、ユーザーが違和感を覚える可能性がある。一方で、支持具により撮像装置を安定して支えるためには、カメラ本体の重心近くに支持具を配置することが望ましい。つまり、支持具の取り付けに適した位置に支持具取付部が配置されていることが望ましい。
【０００７】
それ故に、本発明の目的は、従来の課題を解決するものであり、支持具の取り付けに適した位置に支持具取付部を配置すると共に、ユーザが支持具取付部に触れて違和感を覚えることがない撮像装置を提供することである。
【課題を解決するための手段】
【０００８】
本発明は、支持具を取付け可能な撮像装置に関するものである。そして、上記目的を達成するために、本発明の撮像装置は、支持具を取り付け可能とする支持具取付部と、支持具取付部カバーとを備える。支持具取付部は、撮像装置の支持具取付面に設けられ、ネジ穴を有する。支持具取付部カバーは、支持具取付部を覆う第１の位置と、支持具取付部を覆わない位置であり、支持具取付面に対し凸とならない第２の位置との間を移動する。
支持具取付部に支持具を取り付けた際に、支持具取付部カバーは第１の位置から第２の位置へ移動し、支持具取付部から支持具を取り外した際に、支持具取付部カバーは第２の位置から第１の位置へ移動する。
支持具取付部は、ネジ穴の入口の周辺に形成された露出面を有し、支持具取付部に支持具が取り付けられた際に、露出面と支持具とが当接する。支持具取付面は、撮像装置の外装底面部に設けられる。支持具取付部カバーに設けられたカム溝ピンと、支持具取付面に設けられたカム溝とにより、支持具取付部カバーは、第１の位置と第２の位置との間を移動する。
【発明の効果】
【０００９】
以上のように本発明に係る撮像装置によれば、支持具が支持具取付部に取り付けられていない場合には、支持具取付部が支持具取付部カバーに覆われ、ユーザが支持具取付部に触れることができない。このため、支持具の取り付けに適した位置に支持具取付部を配置すると共に、ユーザーが支持具取付部に触れて違和感を覚えることがない。また、支持具を支持具取付部に取り付けて使用する場合、支持具取付面に対し凸とならない位置へ支持具取付部カバーが移動することで、支持具取付面に大きな面積を確保することができるため安定した支持具の装着が可能となる。
【図面の簡単な説明】
【００１０】
【図１】図１は、デジタルカメラ１の斜視図である。
【図２】図２は、カメラ本体１００の斜視図である。
【図３】図３は、デジタルカメラ１のブロック図である。
【図４】図４は、デジタルカメラ１の概略断面図である。
【図５】図５は、カメラ本体１００の背面図である。
【図６Ａ】図６Ａは、一眼レフレックスカメラ８００の概略断面図である。
【図６Ｂ】図６Ｂは、デジタルカメラ１の概略断面図である。
【図７】図７は、カメラ本体１００を支持具９０に装着した状態を示す図である。
【図８】図８は、支持具装着時のカメラ本体１００の斜視図である。
【図９】図９は、支持具未装着時のカメラ本体１００の斜視図である。
【発明を実施するための形態】
【００１１】
＜１−１：デジタルカメラの概要＞
図１は、本発明の一実施形態に係るカメラ本体１００を有するデジタルカメラ１（撮像装置の一例）の斜視図である。図２は、カメラ本体１００の斜視図である。図３は、デジタルカメラ１の機能ブロック図である。
ここで、撮像装置は、単体での撮影が可能な撮像装置だけでなく、カメラ本体を含む概念である。例えば、撮像装置にはレンズユニットを装着可能な交換レンズ式カメラのカメラ本体が含まれる。また、支持具とは、撮影時に撮像装置の姿勢を安定させるために撮像装置に取り付けられる固定用の用具である。支持具としては、例えば、三脚や一脚が考えられる。
デジタルカメラ１は、被写体の画像を取得するための交換レンズ式のデジタルカメラであり、カメラ本体１００と、カメラ本体１００に装着可能なレンズユニット２００と、を備えている。一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１２】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側という。ここで横撮り姿勢とは、横長の長方形である画像の長辺に平行な方向が画像内での被写体の水平方向と一致し、かつ画像の短辺に平行な方向が画像内での被写体の鉛直方向と一致する場合に、レリーズ釦１３１（図１）が撮影時に押される方向が鉛直下向きと概ね一致する姿勢をいう。
【００１３】
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。さらに、デジタルカメラ１の横撮り姿勢での鉛直方向を上下方向もしくは縦方向という。同様に、デジタルカメラ１の横撮り姿勢での左右の方向を左右方向もしくは横方向という。また、上下方向および左右方向に垂直な方向は前後方向と一致しており、被写体を向く方向を前方向といい、前方向と逆向きを後ろ方向という。
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
【００１４】
＜１−２：カメラ本体の構成＞
図４は、デジタルカメラ１の概略断面図である。図５は、カメラ本体１００の背面図である。カメラ本体１００（撮像装置の一例）は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６５と、カードスロット１７０と、電子ビューファインダー（以下、ＥＶＦとも言う）１８０と、シャッターユニット１９０と、光学的ローパスフィルタ１１４と、振動板１１５と、メインフレーム１５４と、支持具取付部１５７と、放熱部材と、外装部１０１とを備えている。
【００１５】
《外装部》
外装部１０１は、カメラ本体１００の外面を形成する部材であり、外装底面部１０１ａと、外装前面部１０１ｂと、外装背面部１０１ｃと、を含んでいる。外装底面部１０１ａは横撮り姿勢においてＣＭＯＳイメージセンサー１１０の下側に配置され、外装前面部１０１ｂは被写体側に配置され、外装背面部１０１ｃは撮影者側に配置される。
カメラ本体１００には、前から順に、ボディマウント１５０と、シャッターユニット１９０と、振動板１１５と、光学的ローパスフィルタ１１４と、ＣＭＯＳイメージセンサー１１０と、ＣＭＯＳ回路基板１１３と、放熱板１９５と、メイン回路基板１４２と、カメラモニタ１２０とが配置されている。また、メインフレーム１５４の一部は、ボディマウント１５０と光軸ＡＸに平行な方向（以下、光軸方向ともいう）に重複した位置に配置されている。
【００１６】
《ＣＭＯＳイメージセンサー》
ＣＭＯＳイメージセンサー１１０は、レンズユニット２００を介して入射される被写体の光学像（以下、被写体像ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なお、ＣＭＯＳ回路基板１１３の機能は、ＣＭＯＳイメージセンサー１１０、もしくはメイン回路基板１４２に含まれていてもよい。
【００１７】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う。取得された動画データは、スルー画像の表示にも用いられる。なお、静止画データおよび動画データは、画像データの一例である。ここで、スルー画像とは、動画データのうちメモリーカード１７１にデータを記録されない画像である。スルー画像は、主に動画像であり、動画像または静止画像の構図を決めるためにカメラモニタ１２０および／または電子ビューファインダー１８０に表示される。
【００１８】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００１９】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２０】
《カメラモニタ》
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
カメラモニタ１２０は、カメラ本体１００に設けられている。本実施形態では、カメラ本体１００の背面に配置されているが、カメラモニタ１２０はカメラ本体１００のどこに配置されていてもよい。カメラ本体１００に対するカメラモニタ１２０の表示面の角度は、変更可能である。具体的には図５に示すように、カメラ本体１００は、カメラモニタ１２０を外装部１０１に対して回転可能に連結するヒンジ１２１を有している。ヒンジ１２１は、外装部１０１の左端に配置されている。より詳細には、ヒンジ１２１は、第１のヒンジと第２のヒンジとを有している。カメラモニタ１２０は、第１のヒンジを中心に外装部１０１に対して左右方向に回転可能であり、第２のヒンジを中心に外装部１０１に対して上下方向にも回転可能である。
なお、カメラモニタ１２０は、カメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けられてもよい。
【００２１】
《電子ビューファインダー》
電子ビューファインダー（ＥＶＦ）１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００２２】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対して、カメラモニタ１２０は接眼窓１８３を有しない点である。
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタには、有機ＥＬ、無機ＥＬ、プラズマディスプレイパネル等、画像を表示できるものを用いることができる。有機ＥＬのような自発光デバイスの場合は、照明光源は必要ない。
【００２３】
《操作部》
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００２４】
《カメラコントローラー》
カメラコントローラー１４０は、カメラ本体１００の中枢を司るデバイスであって、カメラ本体１００の各部を制御する。例えば、カメラコントローラー１４０は、電源１６５からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０は、ボディ制御部（もしくはボディマイコン）の一例である。カメラコントローラー１４０は、メイン回路基板１４２上に配置されている。
【００２５】
《カードスロットおよびメモリーカード》
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に静止画データを格納する。カードスロット１７０は、メモリーカード１７１から静止画データを出力する。また、カードスロット１７０は、メモリーカード１７１に動画データを格納する。カードスロット１７０は、メモリーカード１７１から動画データを出力する。
【００２６】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイルを格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００２７】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
なお、メモリーカード１７１は記憶部の一例である。記憶部は、メモリーカード１７１のようにカメラ本体１００に装着可能なものでもよく、デジタルカメラ１に固定されているものでもよい。
【００２８】
《電源》
電源１６５は、デジタルカメラ１で使用するための電力を各部に供給する。電源１６５は、例えば、乾電池であってもよいし、充電池であってもよい。また、電源１６５は、電源コード等を介して外部から電力の供給を受け、デジタルカメラ１に電力を供給するユニットであってもよい。
【００２９】
《ボディマウント》
ボディマウント１５０は、レンズユニット２００を装着可能であり、ボディマウントリング１５１と、電気接点１５３と、を含んでいる。ボディマウント１５０は、レンズユニット２００のレンズマウント２５０と機械的及び電気的に接続可能である。
ボディマウントリング１５１は、外装部１０１の外装前面部１０１ｂに設けられたリング状の部材であり、レンズユニット２００に設けられたレンズマウントリング２５１と嵌合することにより、レンズユニット２００を機械的に支持する。レンズマウントリング２５１は、いわゆるバヨネット機構によりボディマウントリング１５１に嵌め込まれる。具体的には、レンズマウントリング２５１は、ボディマウントリング１５１との光軸まわりの回転位置関係に応じて、ボディマウントリング１５１と嵌合していない第１の状態と、ボディマウントリング１５１と嵌合している第２状態とをとり得る。
【００３０】
より詳細には、レンズマウントリング２５１は、ボディマウントリング１５１に対して光軸方向に移動可能な第１の状態をとり得る。このような第１の状態では、レンズマウントリング２５１はボディマウントリング１５１に挿入可能である。レンズマウントリング２５１をボディマウントリング１５１に挿入された状態でボディマウントリング１５１に対して回転させると、レンズマウントリング２５１はボディマウントリング１５１に嵌合する。このときのボディマウントリング１５１とレンズマウントリング２５１との回転位置関係が第２の状態である。
レンズマウントリング２５１を支持するために、ボディマウントリング１５１には強度が要求されるので、ボディマウントリング１５１は金属で形成されているのが好ましい。本実施形態では、ボディマウントリング１５１は、金属で形成されている。
【００３１】
レンズユニット２００がカメラ本体１００に装着されている状態で、電気接点１５３は、レンズマウント２５０が有する電気接点２５３と接触している。このように、ボディマウント１５０とレンズマウント２５０とは、ボディマウント１５０の電気接点１５３とレンズマウント２５０の電気接点２５３とを介して、電気的に接続可能である。したがって、デジタルカメラ１は、ボディマウント１５０とレンズマウント２５０とを介して、カメラ本体１００とレンズユニット２００との間で、データおよび制御信号のうち少なくとも一方を送受信できる。具体的には、ボディマウント１５０とレンズマウント２５０とは、カメラコントローラー１４０と、レンズユニット２００に含まれるレンズコントローラー２４０との間で、データおよび制御信号のうち少なくとも一方を送受信できる。また、ボディマウント１５０は、電源１６５から受けた電力を、レンズマウント２５０を介してレンズユニット２００全体に供給する。
ボディマウント１５０は、ボディマウント支持部１５２を介してメインフレーム１５４に支持されている。より詳細には、ボディマウント支持部１５２は、ボディマウントリング１５１と接続されており、ボディマウントリング１５１を支持している。
ボディマウント支持部１５２は、メインフレーム１５４により支持され、ボディマウントリング１５１とシャッターユニット１９０との間に配置されている。
【００３２】
《シャッターユニット》
シャッターユニット１９０は、いわゆるフォーカルプレーンシャッターであり、ＣＭＯＳイメージセンサー１１０への光を遮蔽可能である。シャッターユニット１９０は、ボディマウント１５０とＣＭＯＳイメージセンサー１１０との間に配置される。シャッターユニット１９０は、後幕と、先幕と、シャッター支持枠と、を有する。シャッター支持枠には、被写体からＣＭＯＳイメージセンサー１１０へ導かれる光の通る開口が設けられている。シャッターユニット１９０は、後幕および先幕をシャッター支持枠の開口に進退させることにより、ＣＭＯＳイメージセンサー１１０の露光時間を調節する。シャッターユニット１９０は、機械的に開口状態を保持できる。機械的に保持するとは、電気の力を使わずに開口状態を保持するという概念であり、例えば、物と物との係合や永久磁石による保持を含む。
【００３３】
《光学的ローパスフィルタおよび振動板》
光学的ローパスフィルタ１１４は、被写体から入射した光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。なお、光学的ローパスフィルタ１１４には、赤外光をカットするためのＩｒカットフィルタ機能も併せ持たせている。
振動板１１５は、ＣＭＯＳイメージセンサー１１０よりも前に配置され、振動板支持部１１６により支持されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、圧電素子と、圧電素子を介して板状部材を固定する固定部材と、を含んでいる。そして、交流電圧が印加されて圧電素子が振動すると、板状部材が振動する。振動板支持部１１６は、振動板１１５をＣＭＯＳイメージセンサー１１０に対して所定の位置に配置されるように支持している。振動板支持部１１６は、ボディマウント１５０およびシャッターユニット１９０を介してメインフレーム１５４に支持されている。
【００３４】
《放熱部材》
放熱部材は、放熱板１９５と、熱伝導部１９６と、を有している。放熱板１９５は、ＣＭＯＳイメージセンサー１１０とメイン回路基板１４２との間に配置されている。具体的には、放熱板１９５は、ＣＭＯＳ回路基板１１３とメイン回路基板１４２との間に配置されている。放熱板１９５は、ＣＭＯＳイメージセンサー１１０により発生した熱を放熱するための長方形の板状部材である。放熱板１９５の材質として例えばアルミや銅等の金属を用いれば、好ましい放熱効果を得ることができる。
放熱板１９５には、振動板支持部１１６に熱を伝えるために熱伝導部１９６が接続されている。熱伝導部１９６は、振動板支持部１１６に接続され固定されている。ＣＭＯＳイメージセンサー１１０から発生した熱は、放熱板１９５および熱伝導部１９６を介して振動板支持部１１６に伝達される。このような熱の伝達を可能とするために、ＣＭＯＳイメージセンサー１１０の背面には放熱板１９５が配置され、放熱板１９５から振動板支持部１１６まで熱伝導部１９６が延びている。
【００３５】
より詳細には、熱伝導部１９６は、４枚のプレートを有しており、放熱板１９５の上下の端および左右の端からプレートが前方へ延びている。言い換えれば、熱伝導部１９６はＣＭＯＳイメージセンサー１１０の上下左右を囲うようにして配置されている。このように、ＣＭＯＳイメージセンサー１１０は、放熱板１９５および熱伝導部１９６により、上側、両側方、下側および後ろ側を囲い込まれている。
なお、熱伝導部１９６は、必ずしも振動板支持部１１６に接続されていなくてもよく、メインフレーム１５４とＣＭＯＳイメージセンサー１１０との間に配置されるいずれかの部品と接続されていればよい。例として、熱伝導部１９６は、ボディマウント支持部１５２やシャッターユニット１９０と接続されることが考えられる。
なお、熱伝導部１９６は、必ずしも４箇所で振動板支持部１１６と接続している必要はない。例えば、４枚のプレートのうち少なくとも１枚が放熱板１９５を振動板支持部１１６に接続していればよい。しかしながら、放熱板１９５の安定性を考慮すると、３箇所以上で接続されることが望ましい。
【００３６】
＜１−３：レンズユニットの構成＞
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
レンズマウント２５０は、レンズマウントリング２５１および電気接点２５３を有しており、前述のようにボディマウント１５０と機械的および電気的に接続できる。
【００３７】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号を駆動部２１５に伝える。駆動部２１５は、制御信号に基づいてズームレンズ群２１０、ＯＩＳレンズ群２２０、及びフォーカスレンズ群２３０の位置を調節する。
一方で、カメラコントローラー１４０は、ＣＭＯＳイメージセンサー１１０が受けた光の量、静止画撮影を行うのか動画撮影を行うのか、絞り値が優先的に設定される操作がされているか等の情報に基づいて、絞りユニット２６０を動作させるための制御信号を生成する。このとき、レンズコントローラー２４０は、カメラコントローラー１４０で生成された制御信号を絞りユニット２６０へ中継する。
また、レンズコントローラー２４０は、光学系Ｌの各レンズ群および絞りユニット２６０の駆動を行う場合、ＤＲＡＭ２４１をワークメモリとして使用する。また、フラッシュメモリ２４２は、レンズコントローラー２４０によって使用されるプログラムやパラメータを保存している。
【００３８】
レンズ筒２９０は、主に光学系Ｌと、レンズコントローラー２４０と、レンズマウント２５０と、絞りユニット２６０と、を内部に収容している。また、レンズ筒２９０の外部には、ズームリング２１３と、フォーカスリング２３４と、ＯＩＳスイッチ２２４と、が設けられている。
ズームリング２１３は、筒状の部材であり、レンズ筒２９０の外周面で回転可能である。ズームリング２１３は、焦点距離を操作するための操作部の一例である。ズームリング２１３を回転させると、回転後のズームリング２１３の位置に応じて、光学系Ｌの焦点距離が決定される。ズームリング２１３の位置は、例えば、駆動部２１５に含まれる検出部によって検出される。
【００３９】
フォーカスリング２３４は、筒状の部材であり、レンズ筒２９０の外周面で回転可能である。フォーカスリング２３４は、光学系ＬがＣＭＯＳイメージセンサー１１０上に形成する被写体像のフォーカス状態を操作するための操作部の一例である。フォーカスリング２３４を回転させると、回転後のフォーカスリング２３４の位置に応じて、被写体像のフォーカス状態が調節される。例えば、レンズコントローラー２４０は、フォーカスリング２３４の位置情報に基づいて制御信号を生成し、駆動部２１５に出力する。駆動部２１５は、制御信号に基づいてフォーカスレンズ群２３０を駆動する。
ＯＩＳスイッチ２２４は、ＯＩＳを操作するための操作部の一例である。ＯＩＳスイッチ２２４をＯＦＦにするとＯＩＳは動作しない。ＯＩＳスイッチ２２４をＯＮにするとＯＩＳは動作可能となる。
【００４０】
＜１−４：構造の特徴＞
カメラ本体１００は、ミラーボックス装置を有しておらず、この点が一眼レフレックスカメラと異なっている。以下、図６Ａおよび図６Ｂを用いてカメラ本体１００の構造上の特徴をさらに詳細に説明する。
図６Ａは一眼レフレックスカメラ８００の概略断面図である。図６Ｂは、本実施形態のデジタルカメラ１の概略断面図である。なお、図６Ｂでは、ボディマウント１５０、シャッターユニット１９０、振動板１１５、振動板支持部１１６、放熱板１９５、熱伝導部１９６などの部材は省略されている。また、図６Ｂでは、支持具取付部１５７周辺の構造に関しても、詳細が省略されている。
【００４１】
図６Ａに示す一眼レフレックスカメラ８００では、ＣＭＯＳイメージセンサー８１０の前面に、つまり、ＣＭＯＳイメージセンサー８１０のレンズユニット８０２側にミラーボックス装置が配置されている。ミラーボックス装置は、反射ミラー８０３とペンタプリズム８０４とを含んでいる。そして、ＣＭＯＳイメージセンサー８１０の背面に（つまり、ＣＭＯＳイメージセンサー８１０に対してレンズユニット８０２とは反対側に）、前からＣＭＯＳ回路基板８１３と、カメラコントローラー８４０を含むメイン回路基板８４２と、が順に配置されている。また、カメラ本体８０１の強度を確保するために金属製のメインフレーム８５４がカメラ本体８０１の内部の前面から底面に沿って配置されている。さらに、カメラ本体８０１の底面には支持具取付部８５７が設けられており、支持具取付部８５７はメインフレーム８５４に固定されている。
【００４２】
一眼レフレックスカメラ８００では、ミラーボックス装置に含まれる反射ミラー８０３およびペンタプリズム８０４によって、レンズユニット８０２により形成された被写体の光学像は、ＣＭＯＳイメージセンサー８１０または光学ファインダー８０５に導かれる。このように、カメラ本体８０１の内部に、可動式の反射ミラー８０３とペンタプリズム８０４とを配置するスペース、および、反射ミラー８０３から光学ファインダー８０５までの光路のスペース、を確保する必要があるため、カメラ本体８０１は小型化に適していない。その反面、カメラ本体８０１の内部にスペースが多いこと、カメラ本体８０１の表面積が大きいこと等の理由により、一眼レフレックスカメラ８００では、ＣＭＯＳイメージセンサー８１０からの発生した熱を放熱しやすい。また、支持具取付部８５７をＣＭＯＳイメージセンサー８１０から離れた位置に配置できるので、ＣＭＯＳイメージセンサー８１０から発生した熱が支持具取付部８５７に比較的伝わりにくい。
【００４３】
これに対し、図６Ｂに示すように、本実施形態に係るデジタルカメラ１では、ＣＭＯＳイメージセンサー１１０の前側にミラーボックス装置が配置されないため、フランジバックを短くすることが可能となり、カメラ本体１００を小型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
その一方で、一眼レフレックスカメラ８００のようにミラーボックス装置が設けられているスペースが不要となるため、カメラ本体１００の小型化を図れるが、デジタルカメラ１では部品が密集して配置されるので、ＣＭＯＳイメージセンサー１１０と支持具取付部１５７との距離は、一眼レフレックスカメラ８００と比較して小さくなっている。さらに、高画質化や動画撮影対応によりＣＭＯＳイメージセンサー１１０やカメラコントローラー１４０の消費電力が大きくなってしまい、ＣＭＯＳイメージセンサー１１０やカメラコントローラー１４０の発熱量が大きくなっている。
例えば、デジタルカメラ１では、高解像度の動画像の撮影にも対応したＣＭＯＳイメージセンサー１１０が採用されているため、高解像度の動画像の撮影に対応していないＣＭＯＳイメージセンサー（例えば、一眼レフレックスカメラ８００のＣＭＯＳイメージセンサー８１０）と比較して消費電力がおよそ３倍（０．４Ｗから１．２Ｗ）に増加している。その結果、ＣＭＯＳイメージセンサー１１０の発熱量は、高解像度の動画像の撮影に対応していないＣＭＯＳイメージセンサーの発熱量に比べて大きくなっている。
【００４４】
以上のように、デジタルカメラ１では一眼レフレックスカメラ８００と比較してＣＭＯＳイメージセンサー１１０やカメラコントローラー１４０等の電子部品の発熱量が増大しており、さらに、小型化に伴って支持具取付部１５７がＣＭＯＳイメージセンサー１１０の近くに配置されている。このため、ＣＭＯＳイメージセンサー１１０で発生した熱が支持具取付部１５７に伝わりやすくなる。そうすると、支持具取付部１５７に触れて周辺の温度と支持具取付部１５７の温度との温度差を感知したユーザーが、違和感を感じる可能性がある。
【００４５】
《支持具取付部》
図４、図８および図９に示すように支持具取付部１５７が外装底面部１０１ａに設けられている。支持具取付部１５７には、ネジ部１５７ａが設けられており、必要に応じて三脚や一脚等の支持具９０が取付可能である。図７は、カメラ本体１００を支持具９０に装着した状態を示す図である。ここで、支持具９０とは、撮影時に撮像装置の姿勢を安定させるために撮像装置に取り付けられる固定用の用具である。支持具９０としては、例えば、三脚や一脚等が考えられる。
また、外装底面部１０１ａにおいて、支持具取付部１５７が設けられた面を、支持具取付面と記す。また、ネジ部１５７ａには、支持具９０の先端が嵌め込み可能なネジ穴が設けられている。支持具取付部１５７のネジ穴の入口の周辺には、露出面が形成される。支持具９０が支持具取付部１５７に取り付けられた際には、露出面と支持具９０とが当接し、露出面が支持具９０によって隠される。このため、支持具９０が支持具取付部１５７に取り付けられた際には、ユーザが支持具取付部１５７に直接触れることを防止し、ユーザーが支持具取付部１５７に触れて支持具取付部１５７の温度と周辺の温度との温度差を感じることをなくすことができる。
【００４６】
メインフレーム１５４は、カメラ本体１００の外装部１０１の内部に配置される。メインフレーム１５４は、カメラ本体１００の内部において、外装前面部１０１ｂおよび外装底面部１０１ａに沿って配置されている。メインフレーム１５４は、ボディマウント支持部１５２に接続されている。つまり、メインフレーム１５４は、ボディマウント１５０およびボディマウント支持部１５２を介してレンズユニット２００を支持している。そのため、メインフレーム１５４にはある程度の強度が必要である。したがって、メインフレーム１５４は、金属で形成されているのが好ましい。メインフレーム１５４の材質として、例えばアルミやステンレス合金が考えられる。また、支持具取付部１５７は、カメラ本体１００の内部でメインフレーム１５４に連結されており、撮像素子やカメラコントローラー等の電子部品での発熱は、メインフレーム１５４、支持具取付部１５７に伝わる。結果、支持具取付部１５７の温度が上昇する。
【００４７】
支持具取付部カバー１６０は、支持具取付部１５７を覆う位置（第１の位置）と、支持具取付部１５７を覆わずに、外装底面部１０１ａに対し凸とならないに位置（第２の位置）に移動する。具体的には、支持具取付部カバー１６０は、支持具取付部カバー１６０に設けられたカム溝ピン１６１と、外装部１０１に設けられたカム溝１６２とにより、第１の位置と第２の位置との間を移動する。三脚等の支持具９０の装着が必要な場合、第２の位置に支持具取付部カバー１６０を移動する（図８参照）。外装底面部１０１ａに対し凸とならない位置に支持具取付部カバー１６０が移動することで、支持具取付面に大きな面積を確保することができるため安定した三脚や一脚等の支持具９０の装着が可能である。また、三脚等の支持具９０の装着が必要ない場合には、第１の位置に支持具取付部カバー１６０を移動する（図９参照）。このため、支持具取付部カバー１６０が支持具取付部１５７を覆い、ユーザーが支持具取付部１５７に触れ違和感を覚えることはない。支持具取付部カバー１６０は、三脚カバーや一脚カバーと記すこともできる。
【００４８】
なお、図４に示すように、支持具取付部１５７はＣＭＯＳイメージセンサー１１０の下側に配置されており、支持具取付部１５７はＺ軸方向に沿ってＣＭＯＳイメージセンサー１１０と並んでいる。このように支持具取付部１５７を配置すれば、ＣＭＯＳイメージセンサー１１０の周辺に重量の比較的大きい部品（例えば、レンズユニット２００）が配置されている場合であっても、支持具取付部１５７を中心とした重量分布に偏りが生じにくくなる。その結果、支持具９０に取り付けられたときにデジタルカメラ１が安定しやすくなる。
【００４９】
＜１−５：効果＞
ここで、本実施形態に係るカメラ本体１００の効果についてまとめる。
（１）
このカメラ本体１００では、支持具９０が支持具取付部１５７に取り付けられていない場合に支持具取付部カバー１６０が支持具取付部１５７を覆うことが出来るため、ユーザーが支持具取付部１５７に触れて支持具取付部１５７の温度と周辺の温度との温度差を感じることをなくすことができる。すなわち、ユーザーが支持具９０を使用しない場合に、支持具取付部１５７へ触れることを防ぐ構造を提供することができる。
（２）
このカメラ本体１００では、支持具９０が支持具取付部１５７に取り付けられていない場合に支持具取付部カバー１６０が支持具取付部１５７を覆うことが出来るため、支持具取付部１５７の外的要因による損傷を防止することができる。
（３）
このカメラ本体１００では、支持具９０を支持具取付部１５７に取り付けて使用する場合、支持具取付面に対し凸とならない位置へ支持具取付部カバー１６０が移動することで、支持具取付面に大きな面積を確保することができるため安定した三脚、一脚等の支持具９０の装着が可能である。
【００５０】
（他の実施形態）
本発明の実施形態は、前述の実施形態に限定されず、本発明の趣旨を逸脱しない範囲で種々の変形および修正が可能である。前述の実施形態では、交換レンズ式のデジタルカメラを例にして説明したが、ここに示された技術を適用できる撮像装置はこれに限られない。ここに開示された技術は支持具取付部を有する撮像装置に適用可能であり、例えば、交換レンズ式のデジタルビデオカメラや、レンズ鏡筒一体型のデジタルカメラならびにビデオカメラに適用可能である。
【産業上の利用可能性】
【００５１】
ここに示された技術は、支持具を使用しない場合にユーザーが支持具取付部に触れることを防ぐ構造等を提供し、支持具を装着可能な撮像装置等に適用できる。具体的には、ここに開示された技術は、デジタルスチルカメラやデジタルビデオカメラ等に適用可能である。
【符号の説明】
【００５２】
１      デジタルカメラ（撮像装置の一例）
９０    支持具（三脚）
１００    カメラ本体（撮像装置の一例）
１０１    外装部
１０１ａ  外装底面部
１０１ｂ  外装前面部
１０１ｃ  外装背面部
１１０    ＣＭＯＳイメージセンサー
１１１    ＡＤコンバーター
１１２    タイミング発生器
１１３    ＣＭＯＳ回路基板
１１４    光学的ローパスフィルタ
１１５    振動板
１１６    振動板支持部
１２０    カメラモニタ
１２１    ヒンジ
１３０    操作部
１３１    レリーズ釦
１３２    電源スイッチ
１４０    カメラコントローラー
１４１    ＤＲＡＭ
１４２    メイン回路基板
１５０    ボディマウント
１５１    ボディマウントリング
１５２    ボディマウント支持部
１５３    電気接点
１５４    メインフレーム
１５７    支持具取付部
１５７ａ  ネジ部
１６０    支持具取付部カバー（三脚カバー）
１６０ａ  支持具取付部カバー外面
１６１    カム溝ピン
１６２    カム溝
１６５    電源
１７０    カードスロット
１７１    メモリーカード
１８０    電子ビューファインダー（ＥＶＦ）
１８１    ＥＶＦ用液晶モニタ
１８２    ＥＶＦ用光学系
１８３    接眼窓
１９０    シャッターユニット
１９５    放熱板
１９６    熱伝導部
２００    レンズユニット
２１０    ズームレンズ
２１１    駆動機構
２１３    ズームリング
２２０    ＯＩＳレンズ
２２４    ＯＩＳスイッチ
２３０    フォーカスレンズ
２３４    フォーカスリング
２４０    レンズコントローラー
２４１    ＤＲＡＭ
２４２    フラッシュメモリ
２５０    レンズマウント
２５１    レンズマウントリング
２５３    電気接点（本体側）
２６０    絞りユニット
２９０    レンズ筒
８００    一眼レフレックスカメラ
８０１    カメラ本体
８０２    レンズユニット
８０３    反射ミラー
８０４    ペンタプリズム
８０５    光学ファインダー
８１０    ＣＭＯＳイメージセンサー
８１３    ＣＭＯＳ回路基板
８４２    メイン回路基板
８５４    メインフレーム
８５７    支持具取付部
【手続補正２】
【補正対象書類名】特許請求の範囲
【補正対象項目名】全文
【補正方法】変更
【補正の内容】
【特許請求の範囲】
【請求項１】
支持具を取付け可能な撮像装置であって、
前記撮像装置の支持具取付面に設けられ、ネジ穴を有する支持具取付部と、
前記支持具取付部を覆う第１の位置と、前記支持具取付部を覆わない位置であり、前記支持具取付面に対し凸とならない第２の位置との間を移動する支持具取付部カバーとを備える、撮像装置。
【請求項２】
前記支持具取付部に前記支持具を取り付けた際に、前記支持具取付部カバーは前記第１の位置から前記第２の位置へ移動し、
前記支持具取付部から前記支持具を取り外した際に、前記支持具取付部カバーは前記第２の位置から前記第１の位置へ移動する、請求項１に記載の撮像装置。
【請求項３】
前記支持具取付部は、前記ネジ穴の入口の周辺に形成された露出面を有し、
前記支持具取付部に前記支持具が取り付けられた際に、前記露出面と前記支持具とが当接する、請求項１に記載の撮像装置。
【請求項４】
前記支持具取付面は、前記撮像装置の外装底面部に設けられる、請求項１に記載の撮像装置。
【請求項５】
前記支持具取付部カバーに設けられたカム溝ピンと、前記支持具取付面に設けられたカム溝とにより、前記支持具取付部カバーは、前記第１の位置と前記第２の位置との間を移動する、請求項１に記載の撮像装置。
【手続補正３】
【補正対象書類名】図面
【補正対象項目名】全図
【補正方法】変更
【補正の内容】
【図１】
2012077251.tif 000013
【図２】
2012077251.tif 000014
【図３】
2012077251.tif 000015
【図４】
2012077251.tif 000016
【図５】
2012077251.tif 000017
【図６Ａ】
2012077251.tif 000018
【図６Ｂ】
2012077251.tif 000019
【図７】
2012077251.tif 000020
【図８】
2012077251.tif 000021
【図９】
2012077251.tif 000022
【国際調査報告】
2012077251.tif 000023
2012077251.tif 000024
2012077251.tif 000025
2012077251.tif 000026
2012077251.tif 000027
2012077251.tif 000028